(57)【特許請求の範囲】
【請求項１】
自動車のリア開口部に設けられた観音開き式の一対のバックドアを備えた自動車のバックドア構造において、
上記リア開口部の両側縁に対して回動可能に枢支された一対のバックドアと、上記リア開口部の中央付近にて上下方向に延びていて、リア開口部の上下縁に着脱可能に取り付けられたステーと、を含み、
上記ステーが上下に二分割されており、上部ステーが、上記リア開口部の上縁に対して横方向に延びる回転軸により揺動可能に支持されていると共に、下部ステーが、左右に二分割されていてそれぞれ上記上部ステーの下端に前後方向に延びる回転軸により揺動可能に支持されていて、
左右各バックドアが閉じられたとき、各バックドアが上記ステーに対してロック機構により係止されると共に、左右各バックドアの中央寄りの側縁に設けられたウェザーストリップが、上記ステーの表面に当接することにより液密的に閉じられ、
左右のバックドアが開放されたとき、上部ステーがリア開口部の上縁から後方に向かって延びるように揺動されると共に、下部ステーが上部ステーに対して左右に一直線状になるように開かれて、下部ステーの下端が開放された左右のバックドアの上縁に係止されることを特徴とする、自動車のバックドア構造。
【請求項２】
開放された左右のバックドアの上縁に下部ステーの下端が係止された状態にて、左右のバックドアの上縁の間に、そして上部ステー及び下部ステーの上に、屋根部材が載置されることを特徴とする、請求項１に記載の自動車のバックドア構造。
【発明の詳細な説明】
【０００１】
【発明の属する技術分野】
この発明は自動車のバックドア構造に係り、特に自動車のリアに設けられた観音開き式のバックドアの構造に関するものである。
【０００２】
【従来の技術】
従来、観音開き式のバックドアを有する自動車１は、例えば図１５に示すように、その自動車ボディ２のリア開口部２ａに、それぞれ一側が自動車の両側部付近にてほぼ垂直に延びる回転軸の周りに回動可能に枢支された左右一対のバックドア３，４を備えている。
【０００３】
そして、一方のバックドア、例えば右側のバックドア４は、閉鎖状態にて自動車ボディ２のリア開口部に設けられたロックストライク（図示せず）に係合するロック（図示せず）を備えていると共に、左側の側縁に、ロックストライク（図示せず）を備えている。
これに対して、他方のバックドア、例えば左側のバックドア３は、その右側の側縁に閉鎖状態の右側のバックドア４の上記ロックストライクに対して係合するロック（図示せず）を備えている。
さらに、左側のバックドア３はその右側の側縁に沿って、閉鎖時に右側のバックドア４の左側縁に当接する防水用のウェザーストリップ（図示せず）を備えている。
【０００４】
このような構成のバックドア３，４によれば、図１７に示すように、双方のバックドア３，４が左右に開放されている状態から、図１６に示すように、右側のバックドア４が閉じられると、右側のバックドア４に設けたロックが自動車ボディ２のリア開口部２ａに設けたロックストライカに係合することにより閉鎖状態に保持される。
その後、図１５に示すように、左側のバックドア３が閉じられると、左側のバックドア３の右側の側縁に設けたロックが、右側のバックドア４の左側の側縁に設けたロックストライカに係合することにより、閉鎖状態に保持される。
【０００５】
そして、このとき、左側のバックドア３の右側の側縁に設けられたウェザーストリップが、右側のバックドア４の左側の側縁に当接することにより、左右のバックドア３，４間が液密的に閉鎖される。
また、バックドア３，４を開放する場合には、先ず図１６に矢印Ａで示すように、左側のバックドア３が開放され、その後、図１７にて矢印Ｂで示すように、右側のバックドア４が開放される。
【０００６】
【発明が解決しようとする課題】
しかしながら、このような構成のバックドア構造においては、左右のバックドア３，４の開閉順が上述のように決まっており、左側のバックドア３を閉じたままで、右側のバックドア４を開放することはできなかった。
これは、左右のバックドア３，４間の防水性を保持するためのウェザーストリップの当たりによるものであるが、比較的頻繁に利用するような小荷物の出し入れには不便なことがあり、使い勝手が良くなかった。
【０００７】
これに対して、左右のバックドアの開閉順を限定しないようにしたバックドア構造も知られているが、このようなバックドア構造においては、左右のバックドアの閉鎖時に互いに対向する側縁がそれぞれウェザーストリップを備えており、双方のウェザーストリップから突出するリップが互いにオーバーラップすることにより、防水性を確保している。
しかしながら、このような構成のバックドア構造においては、相互にオーバーラップして防水性を確保するウェザーストリップのリップの変形を防止するため、左右のバックドアの互いに対向する側縁が、ほぼ直線状に形成される必要がある。このため、バックドアの意匠が制限されるため、自動車全体のデザインが制約されてしまう。
【０００８】
この発明は、以上の点に鑑み、観音開き式の左右のバックドアの開閉順が制限されずに、左右のバックドア間の防水性が確保され得ると共に、バックドアの意匠が制限されることのない、自動車のバックドア構造を提供することを目的としている。
【０００９】
【課題を解決するための手段】
上記目的を達成するため、この発明では、自動車のリア開口部に設けられた観音開き式の一対のバックドアを備えた自動車のバックドア構造において、上記リア開口部の両側縁に対して回動可能に枢支された一対のバックドアと、上記リア開口部の中央付近にて上下方向に延びていて、リア開口部の上下縁に着脱可能に取り付けられたステーとを含み、上記ステーが上下に二分割されており、上部ステーが、リア開口部の上縁に対して横方向に延びる回転軸により揺動可能に支持されていると共に、下部ステーが、左右に二分割されていてそれぞれ上部ステーの下端に前後方向に延びる回転軸により揺動可能に支持されていて、左右各バックドアが閉じられたとき、各バックドアが上記ステーに対してロック機構により係止されると共に、左右各バックドアの中央寄りの側縁に設けられたウェザーストリップが、上記ステーの表面に当接することにより液密的に閉じられ、左右のバックドアが開放されたとき、上部ステーがリア開口部の上縁から後方に向かって延びるように揺動されると共に、下部ステーが上部ステーに対して左右に一直線状になるように開かれて、下部ステーの下端が開放された左右のバックドアの上縁に係止されるよう構成した。
また、この発明による自動車のバックドア構造は、好ましくは、開放された左右のバックドアの上縁に下部ステーの下端が係止された状態にて、左右のバックドアの上縁の間に、そして上部ステー及び下部ステーの上に、屋根部材が載置される。
【００１０】
上記構成によれば、左右のバックドアが、それぞれステーに対してロック機構により係止され、ウェザーストリップにより液密的に閉じられるので、左右のバックドアは、それぞれ他方のドアとは直接に係止されたり液密的に閉じられるようなことがないので、それぞれ単独で開閉することができる。
従って、左右のバックドアの開閉順の制約がないことから、例えば比較的頻繁に利用する小荷物等の出し入れの際には、必要な側のバックドアのみを開閉することができるので、使い勝手が向上する。
また、大型の荷物の出し入れの際には、ステーをリア開口部から取り外すことによって、リア開口部全体が開放されるので、大型の荷物を容易に出し入れすることができる。
【００１１】
上記ステーが上下に二分割されており、上部ステーが、リア開口部の上縁に対して横方向に延びる回転軸により揺動可能に支持されていると共に、下部ステーが、左右に二分割されていてそれぞれ上部ステーの下端に前後方向に延びる回転軸により揺動可能に支持されていて、左右のバックドアが開放されたとき、上部ステーがリア開口部の上縁から後方に向かって延びるように揺動されると共に、下部ステーが上部ステーに対して左右に一直線状になるように開かれて、下部ステーの下端が開放された左右のバックドアの上縁に係止される場合には、例えば大型の荷物の出し入れ等の際には、ステーの下端をリア開口部から外して、上部ステーを後方に向かって揺動させると共に、下部ステーを左右に開放して、その下端を左右のバックドアの上縁に係止することにより、ステーがリア開口部の上縁付近に退避され、固定保持されるので、大型の荷物の出し入れ等の際に、ステーが邪魔になるようなことはない。さらに、この場合、ステーによって左右のバックドアの上端が抑止されることになるので、不用意に左右のバックドアが閉じて、大型の荷物の出し入れ等の妨げになるようなことはない。
【００１２】
開放された左右のバックドアの上縁に下部ステーの下端が係止された状態にて、左右のバックドアの上縁の間に、そして上部ステー及び下部ステーの上に屋根部材が載置される場合には、荷物の積載時の雨除けや、キャンピング等のレジャーにおいても雨除けや日除けとして使用することができ、快適性が向上する。
【００１３】
【発明の実施の形態】
以下、図面に示した実施形態に基づいてこの発明を詳細に説明する。
図１はこの発明によるバックドア構造の一実施形態を示している。
図１において、バックドア構造１０は、自動車１１のボディ１２のリア開口部１２ａに関して、それぞれ一側がリア開口部１２ａの両側縁においてほぼ垂直方向に延びる回転軸の周りに回動可能に枢支された左右一対のバックドア１３，１４と、リア開口部１２ａの中央付近にて上下に延びているステー２０と、を備えている。
【００１４】
上記バックドア１３，１４は、それぞれ上部がガラス窓１３ａ，１４ａとして構成されていると共に、それぞれ中央寄りの側縁に沿って、防水用のウェザーストリップ１５，１６を備えている。
このウェザーストリップ１５，１６は、バックドア１３，１４が閉じられたとき、図２及び図３に示すように、ステー２０の表面に当接することにより、液密性を備えるようにゴム等の弾性材料から構成されている。
【００１５】
さらに、上記バックドア１３，１４は、それぞれバックドア１３，１４が閉じられたとき、図３に示すように、ステー２０に設けられた一対のロックストライカ２１，２２に係合することにより、バックドア１３，１４を閉鎖状態に保持するロック１７，１８を備えている。
【００１６】
これに対して、上記ステー２０は、図４及び図５に示すように、リア開口部１２ａのほぼ中央付近にて上下方向に延びており、その上端がリア開口部１２ａの上縁に取り付けられたブラケット１２ｂに対して、横方向に延びるピン１２ｃの周りに揺動可能に枢支されている。
図示の場合、上記ステー２０の上端の枢支は、ステー２０の上端付近に設けられた長手方向に延びる長孔２０ａ内に、ブラケット１２ｂに挿通されたピン１２ｃが嵌入することにより、行なわれる。
【００１７】
また、上記ステー２０は、その下端がリア開口部１２ａの下縁に取り付けられたブラケット１２ｄに対して、着脱可能に固定保持されている。
上記ステー２０の下端の固定保持は、ステー２０の下端に設けられた固定穴２０ｂ内に、ブラケット１２ｄの固定穴１２ｅを介してＬ字形の固定ピン１２ｆが挿入されることにより、行なわれる。尚、固定ピン１２ｆは、そのＬ字形の横向き部分がブラケット１２ｄの側面に設けられた爪部１２ｇに係合されるようになっている。
【００１８】
さらに、上記ステー２０は、図４及び図５に示すように、全体が上下に二分割され、上部ステー２３と下部ステー２４とから構成されていると共に、下部ステー２４は左右に二分割され、下部左ステー２５，下部右ステー２６とから構成されている。
尚、前述したロックストライカ２１，２２は、図５に示すように、上部ステー２３の下端付近に左右両面に取り付けられている。
上部ステー２３及び下部ステー２４の接続部は、図６に示すように、上部ステー２３の下端に対して、下部ステー２４の下部左ステー２５及び下部右ステー２６がそれぞれ前後方向に延びる回転軸２７の周りに揺動可能に支持されている。また、上記ステー２０は、その上端に、上方の防水性を確保するために、バックドア１３，１４に取り付けられたウェザーストリップ１５，１６の間と、リア開口部１２ａの上縁に取り付けられたシール材１２ｈに当接するように形成されたゴム製のシール材２８を備えている。
【００１９】
ここで、上記ステー２０は、図９に示すように、ブラケット１２ｂのピン１２ｃの周りに揺動されて、全体がほぼ水平まで持ち上げられ、さらに下部左ステー２５及び下部右ステー２６がそれぞれ左右に開かれ、ほぼ一直線状に持ち来される。
そして、下部左ステー２５及び下部右ステー２６は、その下端の前方に設けられた切欠部２５ａ，２６ａが、それぞれ左右のバックドア１３，１４の上縁に係合することにより固定される。その際、ステー２０全体は、ピン１２ｃがステー２０の長孔２０ａに沿って移動することにより、前後方向に位置調整される。
【００２０】
本発明実施形態によるバックドア構造１０は、以上のように構成されており、左右のバックドア１３，１４が閉じた状態においては、ステー２０は、その下端がリア開口部１２ａの下縁に取り付けられたブラケット１２ｄに対して固定保持されており、各バックドア１３，１４はそれぞれ閉じられており、そのロック１７，１８が、それぞれステー２０に設けられたロックストライカ２１，２２に係合することにより閉鎖状態に保持されている。そして、各バックドア１３，１４の側縁に取り付けられたウェザーストリップ１５，１６がステー２０の表面に当接することにより、バックドア１３，１４がステー２０に対して液密的に閉じられる。さらに、ステー２０の上端付近においては、シール材２８が、ウェザーストリップ１５，１６の間と、リア開口部１２ａの上縁に取り付けられたシール材１２ｈに当接することにより、ステー２０の上端付近における液密性が保持される。この場合、各バックドア１３，１４は、それぞれステー２０に対して独立して保持されている。
【００２１】
この状態から、例えば左のバックドア１３を、例えばドアハンドルにより開けると、ロック１７がステー２０のロックストライカ２１から外れて、図１０に示すように右のバックドア１４を開閉することなく、左のバックドア１３のみが開放され得る。
これに対して、例えば右のバックドア１４を例えばドアハンドルにより開けると、ロック１８がステー２０のロックストライカ２２から外れて、図１１に示すように左のバックドア１３を開閉することなく、右のバックドア１４のみが開放され得る。
これにより、左右のバックドア１３，１４は、それぞれ単独で開放されることができる。従って、バックドア１３，１４の左右の開閉順が限定されないので、比較的頻繁に利用する小荷物等の出し入れの際のバックドア１３，１４の使い勝手が向上する。
【００２２】
また、大型の荷物の出し入れを行なう場合には、図１２に示すように左右のバックドア１３，１４が共に開放された後、図１３に示すようにステー２０の下端がリア開口部１２ａの下端に取り付けられたブラケット１２ｄから取り外され、水平位置（図９参照）まで持ち上げられると共に、下部ステー２４が左右に一直線状に開かれて、下部左ステー２５及び下部右ステー２６の下端がそれぞれ左右のバックドア１３，１４の上縁に係合して固定される。
これによりリア開口部１２ａが大きく開放されると共に、ステー２０は上方に退避される。従って、大きな荷物の出し入れを容易に行なうことができる。
また、このとき、左右のバックドア１３，１４は、一直線状に開かれた下部左ステー２５及び下部右ステー２６の両端により保持されるので、不用意に左右のバックドア１３，１４が閉じることがない。
【００２３】
さらに、この状態から、左右のバックドア１３，１４の上縁及びステー２０の上部ステー２３及び下部左ステー２５，下部右ステー２６上に、図１４に示すように屋根部材２９が載置されると、例えば雨天時の大型の荷物の出し入れの際、この屋根部材２９が雨除けとして作用すると共に、キャンピング等のレジャーにおいても、この屋根部材２９が日除けや雨除けとして作用するので、利便性が向上する。
【００２４】
【発明の効果】
以上述べたように、本発明によれば、左右のバックドアがそれぞれステーに対してロック機構により係止され、ウェザーストリップにより液密的に閉じられるので、左右のバックドアはそれぞれ他方のドアとは直接に係止されたり液密的に閉じられるようなことがないので、それぞれ単独で開閉することができる。従って、左右のバックドアの開閉順の制約がないことから、例えば比較的頻繁に利用する小荷物等の出し入れの際には、必要な側のバックドアのみを開閉することができるので、使い勝手が向上する。
また、大型の荷物の出し入れの際には、ステーをリア開口部から取り外すことによってリア開口部全体が開放されることになり、大型の荷物を容易に出し入れすることができる。
このようにして、本発明によれば、観音開き式の左右のバックドアの開閉順が制限されずに、左右のバックドア間の防水性が確保され得ると共に、バックドアの意匠が制限されることのない、極めて優れた自動車のバックドア構造が提供される。
【図面の簡単な説明】
【図１】本発明による自動車のバックドア構造の一実施形態の構成を示す概略斜視図である。
【図２】図１のバックドア構造におけるＡ−Ａ線横断面図である。
【図３】図１のバックドア構造におけるＢ−Ｂ線横断面図である。
【図４】図１のバックドア構造におけるＣ−Ｃ線縦断面図である。
【図５】図１のバックドア構造におけるステーの概略斜視図である。
【図６】図５のステーにおける上部ステー及び下部ステーの継ぎ目付近を示す部分拡大斜視図である。
【図７】図５のステーの上端付近の防水構造を示す部分拡大斜視図である。
【図８】図５のステーの下端付近の固定構造を示す部分拡大斜視図である。
【図９】図５のステーの上方退避状態を示す部分拡大斜視図である。
【図１０】図１のバックドア構造において、左側のバックドアを開放した状態を示す斜視図である。
【図１１】図１のバックドア構造において、右側のバックドアを開放した状態を示す斜視図である。
【図１２】図１のバックドア構造において、左右のバックドアを開放した状態を示す斜視図である。
【図１３】図１のバックドア構造において、ステーを上方に退避させた状態を示す斜視図である。
【図１４】図１３の上方に退避させたステー上に屋根部材を載置した状態を示す斜視図である。
【図１５】従来の自動車のバックドア構造の一例を示す概略斜視図である。
【図１６】図１５のバックドア構造において、左側のバックドアを開放した状態を示す斜視図である。
【図１７】図１５のバックドア構造において、左右のバックドアを開放した状態を示す斜視図である。
【符号の説明】
１０    自動車のバックドア構造
１１    自動車
１２    ボディ
１２ａ  リア開口部
１２ｂ，１２ｄ  ブラケット
１３，１４  バックドア
１３ａ，１４ａ  ガラス
１５，１６  ウェザーストリップ
１７，１８  ロック
２０    ステー
２１，２２  ロックストライカ
２３    上部ステー
２４    下部ステー
２５    下部左ステー
２６    下部右ステー
２７    ピン
２８    シール材
【図１】
0003834783.tif 000002
【図２】
0003834783.tif 000003
【図３】
0003834783.tif 000004
【図４】
0003834783.tif 000005
【図５】
0003834783.tif 000006
【図６】
0003834783.tif 000007
【図７】
0003834783.tif 000008
【図８】
0003834783.tif 000009
【図９】
0003834783.tif 000010
【図１０】
0003834783.tif 000011
【図１１】
0003834783.tif 000012
【図１２】
0003834783.tif 000013
【図１３】
0003834783.tif 000014
【図１４】
0003834783.tif 000015
【図１５】
0003834783.tif 000016
【図１６】
0003834783.tif 000017
【図１７】
0003834783.tif 000018